(57)【要約】本発明は、流動性バルク材コンテナ（１０）に関し、該コンテナ（１０）は、コンテナ部（１２）を含み、該コンテナ部（１２）は、可撓性のあるシート材料からなり、充填すると、底壁（１４）と、実質的に平行に間隔をおいて配置された側壁（１８）の対および側壁（２０）の対を２つと、上壁（１６）とを画定する。上壁は、側壁の延長部（２２）を折り曲げることにより形成され、この折り曲げ処理によって、延長部の端部片（２４）が、側壁の対同士の間の中央に、また側壁の対の一方の対と平行に、上壁から突出する。コンテナは、前記端部片に取り付けられたストラップ要素（３０）の対またはストラップ要素（３２）の対、あるいはストラップ要素（３０）の対およびストラップ要素（３２）の対のいずれかを有し、その形態は、コンテナを吊り上げ変位させるためのフォークリフトのフォークにより係合され得る一対のループを、一対のストラップ要素が形成する形態である。
2008501584.tif 000002
【特許請求の範囲】
【請求項１】
流動性バルク材コンテナであって、
可撓性のあるシート材料からなり、充填されて機能する形態で、底壁と、実質的に平行に間隔をおいて配置された側壁の２つの対と、上壁とを画定するコンテナ部であって、該上壁は、材料の延長片により画定され、該延長片は、前記各側壁の操作用上端部を越えて延びる側壁延長部により形成されており、前記材料の延長片は、前記側壁の２つの対のうちの一方の対の前記各側壁延長部の１つの側壁延長部の端部片を、それらの間に前記側壁の他方の対の前記各側壁延長部の端部片を折り曲げながら、ともに変位させることにより前記上壁を形成するように折り曲げられ、それにより、前記延長片は、前記側壁延長部の端部片がともに変位される前記コンテナ部の側壁の対同士の間の中間において前記コンテナ部の側壁の対と平行に、前記上壁からすべての前記端部片を突出させて、前記上壁を形成する、コンテナ部と、
ストラップ要素の少なくとも１つの対であって、前記延長片を形成する前記側壁延長部の端部片に取り付けられ、その構成は、ともに変位される前記側壁延長部の各１つの端部片と、前記他方の側壁延長部の隣接した各端部片部分とが、ストラップ要素の端部により相互に取り付けられ、それにより、前記対の前記２つのストラップ要素は、対向した吊り上げ用ループを形成するような構成であり、該ループは、前記端部片から延び、フォークリフトのフォークによる同時係合を可能にする、前記ストラップ要素の少なくとも１つの対と、
を含む、コンテナ。
【請求項２】
一対のストラップ要素を有し、該ストラップ要素により画定される前記吊り上げ用ループは、ともに変位された前記側壁延長部の端部片の対向した端部同士の間の中央に配置され、各ストラップ要素の各端部は、ともに変位された前記側壁延長部の端部片の１つの端部片と、それに隣接する前記他方の２つの側壁延長部の前記端部片部分の１つの部分とに固定される請求項１に記載のコンテナ。
【請求項３】
ストラップ要素の２つの対を有し、各ストラップ要素の前記自由端が、ともに変位された前記側壁延長部の２つの端部片の一方と、それに隣接する前記他方の側壁延長部の同様の端部片部分とに固定される請求項１に記載のコンテナ。
【請求項４】
ストラップ要素の各対は、対向する吊り上げ用ループの２つの対を、ともに変位された前記側壁延長部の端部片の中央から等間隔に配置して、対向する吊り上げ用ループの対を画定する請求項３に記載のコンテナ。
【請求項５】
前記側壁延長部の端部片に取り付けられる前記各ストラップ要素の端部は、相互に重ねて配置される請求項３または４に記載のコンテナ。
【請求項６】
前記側壁延長部の端部片に取り付けられる前記各ストラップ要素の端部は、相互に隣接して配置される請求項３または４に記載のコンテナ。
【請求項７】
ともに変位される前記側壁延長部の端部片のコーナー領域と、前記他方の側壁延長部の、隣接する各端部片部分とのコーナー領域とが、折り曲げられ、それらに取り付けられる前記各ストラップ要素の端部は、前記折り曲げられた部分にある請求項３から６のいずれかに記載のコンテナ。
【請求項８】
前記ストラップ要素の端部は、前記側壁延長部の端部片に取り付けられ、縫合により前記コンテナ部の延長片を形成する請求項１から７のいずれかに記載のコンテナ。
【請求項９】
前記コンテナ部の延長片を形成する前記側壁延長部の端部片に取り付けられた前記ストラップ要素の端部は、前記コンテナ部を充填した形態、およびフォークリフトの前記フォークと係合される吊り上げ用ループが前記ストラップ要素により画定された形態で、前記コンテナ部の底壁の全面に垂直に配置される請求項１から８のいずれかに記載のコンテナ。
【請求項１０】
吊り上げ用ループの各対が相互に引き離された形態において、前記延長片を形成する前記側壁延長部の端部片によって、材料の充填、および材料の排出用の開口部を形成することができ、前記コンテナ部ができあがる請求項１から９のいずれかに記載のコンテナ。
【請求項１１】
前記コンテナがストラップ要素の２つの対を含んでいる限り、前記吊り上げ用ループの対を形成する前記ストラップ要素は、ともに変位される前記側壁延長部の端部片の各端部の近くに配置され、また、ともに変位される前記各側壁延長部の端部片と、前記他方の側壁延長部の隣接する各端部片とは、前記コンテナの上壁の中央領域の開口部を画定するように、前記コンテナの中央から間隔をあけた場所へ向かって縫合される請求項１０に記載のコンテナ。
【請求項１２】
前記側壁延長部は、前記端部片が縫合された領域において、その中央に前記開口部が画定されて逆向きの漏斗状の形態になるような輪郭形状にされる請求項１１に記載のコンテナ。
【請求項１３】
前記画定された開口部は、該開口部を閉鎖するための閉鎖機構を組み込む請求項１０から１２のいずれかに記載のコンテナ。
【請求項１４】
ストラップ要素の各対は、画定された前記対向する吊り上げ用ループを解放可能に結束するための結束要素と関連づけられる請求項１から１３のいずれかに記載のコンテナ。
【請求項１５】
添付の図面を参照しそれらに図示して、明細書に実質的に説明した流動性バルク材コンテナ。
【発明の詳細な説明】
【技術分野】
【０００１】
本発明は、流動性バルク材コンテナに関する。
【０００２】
本発明は、特に、液体、粒子材料などの流動性バルク材を収容するために提供される流動性バルク材コンテナに関する。本明細書において想定する流動性バルク材コンテナの特定の既知の形態は、一般に、業界では可撓性のある中間バルクコンテナ（ＦＩＢＣ：Ｆｌｅｘｉｂｌｅ  Ｉｎｔｅｒｍｅｄｉａｔｅ  Ｂｕｌｋ  Ｃｏｎｔａｉｎｅｒ）を指し、以後流動性バルク材コンテナというと、ＦＩＢＣとして知られるタイプのコンテナと解釈する。
【背景技術】
【０００３】
本明細書において想定する流動性バルク材コンテナは、可撓性のあるシート材料、一般には合成プラスチック材料から織って作られたコンテナ部を含み、該コンテナ部は、特定の応用に適応するために、または必要な性質、例えば耐水性をバッグに与えるために、任意に、複数の層状の構成を含む。コンテナ部は、１つまたはそれ以上のシート材片からなり、該シート材片は、コンテナ部に充填された形態で、コンテナ部に内容物が供給されて、実質的に四角形または長方形の六面体を形成し、よって、コンテナ部は、充填された形態では、上壁と、底壁と、実質的に平行に間隔をおいて配置されて上壁と底壁との間を延びる２つの対の側壁とを画定する。流動性バルク材コンテナがこの形態になることによって、流動性バルク材が充填されると、保管および輸送のために相互にコンテナ部を積み重ね得ることは明らかである。コンテナ部の上壁および底壁のいずれかまたは両方は、任意に、コンテナ部への流動性材料の充填および／またはコンテナ部からの流動性材料の排出を促進するための開口部の構成と関連づけてもよい。
【０００４】
以後、流動性バルク材コンテナに言及すると、ＦＩＢＣとして一般に知られるタイプでもある上記の一般的なタイプのコンテナを指すものと解釈され、そのコンテナ部は、充填された形態で、実質的に四角形または長方形の本体になり、このようなコンテナの特定の構造は、大きく変更し得る。
【０００５】
本明細書において想定する既知の流動性バルク材コンテナは、さらに、別の形態で、特にコンテナ部のコーナー領域にまたはコーナーとコーナーとにまたがってコンテナ部にストラップ要素を縫いつけることにより画定される吊り上げ用ループが設けられ、この吊り上げ用ループは、コンテナを吊り上げて変位し得るように、フォークリフトの２本のフォークにより係合される。
【０００６】
ストラップ要素により画定される吊り上げ用ループの上記の構成では、フォークリフトのフォークを通すときに大きな注意を払う必要があることは周知であって、そうすることによって、ループをフォークに適切に配置することが保証され、かつループを画定する材料、すなわちストラップ要素が、フォークの縁により「切断」されないことが保証される。吊り上げ用ループのフォークへの配置が正しくないと、張力だけでなく、ループを形成するストラップ要素と、流動性バルク材コンテナのコンテナ部との間に「剥離（ｐｅｅｌ）」力が生じる結果になりかねず、剥離力は、これらの力によって、ループを画定するストラップ要素がコンテナ部から「引っ張られる」ことになる以上、危険である。よって、フォークリフトで流動性バルク材コンテナを持ち上げることは、特に、フォークリフトの操縦者が、自分のフォークリフトのフォークにコンテナの吊り上げ用ループを配置することに助けを必要とするので、労力が非常に大きい。
【発明の開示】
【発明が解決しようとする課題】
【０００７】
よって、本発明の目的は、労力が比較的少ない方法で、かつ特に既知の流動性バルク材コンテナに関して上に示した問題と無縁の方法で、フォークリフトのフォークと係合し得る吊り上げ用ループの構造を含む流動性バルク材コンテナを提供することである。
【課題を解決するための手段】
【０００８】
本発明によれば、流動性バルク材コンテナであって、
可撓性のあるシート材料からなり、充填されて機能する形態で、底壁と、実質的に平行に間隔をおいて配置された側壁の２つの対と、上壁とを画定するコンテナ部であって、該上壁は、材料の延長片により画定され、該延長片は、各側壁の操作用上端部を越えて延びる側壁延長部により形成されており、材料の延長片は、側壁の２つの対のうちの一方の対の各側壁延長部の１つの側壁延長部の端部片を、それらの間に側壁の他方の対の各側壁延長部の端部片を折り曲げながら、ともに変位させることにより上壁を形成するように折り曲げられ、それにより、延長片は、側壁延長部の端部片がともに変位されるコンテナ部の側壁の対同士の間の中間においてコンテナ部の側壁の対と平行に、上壁からすべての端部片を突出させて、上壁を形成する、コンテナ部と、
ストラップ要素の少なくとも１つの対であって、延長片を形成する側壁延長部の端部片に取り付けられ、その構成は、ともに変位される側壁延長部の各１つの端部片と、他方の側壁延長部の隣接した各端部片部分とが、ストラップ要素の端部により相互に取り付けられ、それにより、１つの対の２つのストラップ要素は、対向した吊り上げ用ループを画定するような構成であり、該ループは、端部片から延び、フォークリフトのフォークによる同時係合を可能にする、ストラップ要素の少なくとも１つの対と、
を含む、コンテナが提供される。
【０００９】
本発明のコンテナの特定の一実施形態は、一対のストラップ要素を含み、この実施形態のための、ストラップ要素により画定される吊り上げ用ループは、ともに変位された側壁延長部の端部片の対向した端部同士の間の中央に配置され、各ストラップ要素の各端部は、ともに変位された側壁延長部の端部片の１つの端部片と、隣接する他方の２つの側壁延長部の端部片部分の１つと、に固定される。
【００１０】
本発明のコンテナの特定の第２の実施形態は、ストラップ要素の２つの対を有し、この実施形態のための、各ストラップ要素の自由端が、ともに変位された側壁延長部の２つの端部片の１つの端部片と、隣接する他方の側壁延長部の同様の端部片部分とに、に固定される。
【００１１】
本発明のコンテナの後者の実施形態のために、ストラップ要素の各対は、対向する吊り上げ用ループの２つの対を、ともに変位された側壁延長部の端部片の中央から等間隔で配置して、対向する吊り上げ用ループの対を画定する。さらに、側壁延長部の端部片に取り付けられる各ストラップ要素の端部は、相互重ねてまたは相互に隣接して配置され得る。さらになお、ともに変位される側壁延長部の端部片と、他方の側壁延長部の隣接する各端部片部分とのコーナー領域が、折り曲げられ、それらに取り付けられる各ストラップ要素の端部は、折り曲げられた部分にある。それによって、コンテナの強度の質も強化しながら、ストラップ要素とコンテナのコンテナ部の側壁との間の領域が、有効に遮断される。
【００１２】
さらに本発明によれば、ストラップ要素の端部は、ストラップ要素をどんな代替手段または処理によっても、例えば、接着剤、加熱接合などを用いて、取り付けてもよいとも想定されるが、縫合により、コンテナ部の延長片を形成する側壁延長部の端部片に取り付け得る。さらに、コンテナ部の延長片を形成する側壁延長部の端部片に取り付けられたストラップ要素の端部は、コンテナ部を充填した形態で、またフォークリフトのフォークと係合される吊り上げ用ループがストラップ要素により画定される形態で、コンテナ部の底壁の全面に垂直に配置され得る。
【００１３】
本発明の上の２つの実施形態のために、吊り上げ用ループの各対が相互に引き離された形態において、延長片を形成する側壁延長部の端部片によって、材料の充填、および材料の排出用の開口部を形成することができ、コンテナ部ができあがる。特にストラップ要素の２つの対を含むコンテナについて、吊り上げ用ループの対を形成するストラップ要素が、ともに変位された側壁延長部の端部片の各端部の近くに配置される場合、ともに変位された各側壁延長部の各端部片と、他方の側壁延長部の隣接する各端部片とは、コンテナの上壁の中央領域の開口部を画定するように、コンテナの中央から間隔のあいた場所へ向かって縫合され得る。端部片が縫合された領域の側壁延長部は、その中央に開口部が画定されて逆向きの漏斗状の形態になるような輪郭形状にされ得る。
【００１４】
本発明のコンテナの上壁に画定された開口部は、開口部を閉鎖するための閉鎖機構を含み得る。
【００１５】
さらになお、本発明のコンテナのストラップ要素の各対は、画定された対向する吊り上げ用ループを解放可能に結束するための結束要素と関連づけられ得る。したがって、フォークリフトのフォークによる、ストラップ要素の各対により画定された吊り上げ用ループの係合は、容易になり得る。
【００１６】
本発明のコンテナは、作用する上または底側のいずれかまたはどこかにある、どんな代替充填手段とも関連づけてよいことも理解しなければならない。
【００１７】
ストラップ要素の有効長さ、および特に、ストラップ要素が固定される、コンテナのコンテナ部の延長片を形成する側壁延長部の端部片の有効長さも、かなり変更することができ、この有効長さは、特に関連づけられるコンテナの強度要件により決定される。さらになお、そのストラップ要素の長さによって、ストラップ要素により画定される吊り上げ用ループにフォークリフトのフォークを係合させ得ると好都合であることが保証されるのは、明らかである。さらに、ストラップ要素を取り付ける正確なモードは、画定された吊り上げ用ループとフォークリフトとを係合させてコンテナを吊り上げている間に、吊り上げ用ループは、コンテナのコンテナ部に対するその形態と関連して張力のみを受けて、コンテナが上に説明した形態になるようなものになるだろう。
【００１８】
上に説明した原理の範囲内において、本発明の流動性バルク材コンテナの正確な形態は、大きく変更することができ、本発明はまた、前記原理をなお組み込んでいる、流動性バルク材コンテナのこのような変更に及ぶことが、理解されるだろう。さらになお、本発明の流動性バルク材コンテナは、既知の流動性バルク材コンテナと、特にＦＩＢＣと呼ばれるのが一般なこのようなコンテナと一般に関連付けられるどんな特徴とも関連づけられ得る。
【発明を実施するための最良の形態】
【００１９】
添付の概略図に示す流動性バルク材コンテナの２つの例を参照して、以下にさらに詳細に本発明の特徴を説明する。
【００２０】
まず、図面の図１から図４を参照すると、流動性バルク材コンテナの第１の実施形態、特にＦＩＢＣとして知られるタイプのコンテナの全体を参照番号１０で示す。コンテナ１０は、充填された形態で示しており、この点において以下のことを理解する必要がある。すなわち、コンテナは、ＦＩＢＣに通常用いられるタイプの合成プラスチックシート材料、例えば、織られたポリプロピレン材料からなるので、コンテナ１０は、実際は、図示したほど角は鋭くならず、または図示したほど壁が平坦にならず、鋭い角および平坦な壁は、図示するためにだけにこのように示している。
【００２１】
コンテナ１０は、コンテナ部１２を含み、このコンテナ部１２は、ここに示すように充填された形態のとき、流動性バルク材が充填されそのバルク材と組み合わされて六面体になる。よって、コンテナ部は、底壁１４と、上壁１６と、実質的に平行に対向した第１の一対の側壁１８と、実質的に平行に対向した第２の一対の側壁２０とを画定する。
【００２２】
コンテナ部の構造は、コンテナ部１２の上壁１６の構造を除いて、既知だが大きく変更し得るＦＩＢＣのコンテナ部の構造と同等である。ここに示すコンテナ部１２は、複数の材料片を適切に縫合して形成することもできるが、特に、単一の材料片から適切に形成される。コンテナ部１２は、コンテナに特定の強度の質および他の特性を備えるために複層構造であってもよいことも想定される。よって、コンテナ１０のコンテナ部１２の全体の構成は、本明細書にこれ以上詳細に説明はしない。
【００２３】
コンテナ１０のコンテナ部１２の上壁１６は、材料の延長片に折り曲げ処理をすることにより形成される。延長片２２は、図示したように、特に、側壁１８および２０をそれらの操作用上端部から延長することにより形成される。上壁１６は、特に、側壁１８から延びる側壁延長部の対の端部片をともに変位し、それとともに、それらの間において、側壁２０から延びる側壁延長部の他方の対の対応の端部片２６を折り曲げることにより形成される（図面の図１および図２を参照）。それにより、延長片２２は、上壁１６と、端部片２４および２６とを形成し、該端部片２４および２６は、わかりやすく図示したように、コンテナ部１２の対の側壁１８同士の間の中央において、また該対と平行に上壁１６から突出する。図面においてともに変位される側壁延長部を、簡略化のために、部分的に相互に間隔をおいて配置されているように示している。これらの側壁延長部をともに変位することで、コンテナ１０のコンテナ部１２の上端部は、効果的に閉鎖され、次に、端部片２４および２６とともに上壁１６に折り曲げられ、輸送および保管する目的で同様のコンテナを相互に積み重ね得ると便利である。
【００２４】
後述するように、フォークリフトにより変位されたコンテナ１０の形態において、延長片２２の端部片２４および２６は、特に図面の図１および図４に示すように、コンテナ１０の底壁１４および上壁１６の全面に垂直に延びることになる。延長片２２の端部片２４および２６は、ストラップ要素の２つの対が取り付けられ、一方の対の各ストラップ要素を番号３０で示し、他方の対の各ストラップ要素を番号３２で示す。各ストラップ要素３０および３２は、端部片２４および２６の領域において一般に縫合により延長片に取り付けられる対向した端部を有する。さらに詳細には、また特にストラップ要素３０．１に関して、このストラップ要素３０．１の自由端３４が、端部片２４．１および端部片２６の隣接した端部片の部分に相互に重ねられ、その両方に縫合される。各ストラップ要素３０および３２は、同様に取り付けられて、各端部片２４に各対の１つのストラップ要素が取り付けられる。各ストラップ要素のための縫合線を点線で示す。
【００２５】
特に図面の図１および図３からよく分かるように、各端部片２４もまた、端部片２４の中央から間隔をおいた場所まで、隣接した端部片部分２６に縫合される（点線３６を参照）。したがって、端部片２４を相互に離れるように変位することによって、バルク材をコンテナ部１２内に充填し排出し得るようにコンテナ部１２につながる開口部３８が、画定される。
【００２６】
特に、図１に示すコンテナ１０の形態において、開口部３８を完全に開くことで、延長片２２の端部片２４および２６は、逆向きの漏斗状の形態になるような輪郭になり、その中に、コンテナ１０を処理し輸送している間に開口部３８を効果的に閉鎖するために閉鎖機構（図示せず）を配置し得る。
【００２７】
適切な可撓性材料から、特にＦＩＢＣのストラップ要素に使用されるタイプの材料から形成されるストラップ要素では、フォークリフトの各フォークを通し得るループを一直線上に配列するように画定するように、ストラップ要素３０および３２の各対を操作し得ると都合がよいことが理解されるだろう。この点において、各対のストラップ要素は、画定されたループが、フォークリフトの各フォークによる係合を容易にするように一直線上に配列される形態で、結束要素（図示せず）により適切に結束され得ることも想定される。
【００２８】
図面から分かるように、延長片２２の端部片に縫合されるストラップ要素片は、バルク材が充填されると、端部片２２の自由縁に実質的に垂直に、すなわち、コンテナ１０のコンテナ部の底壁に実質的に垂直に配置される。これによって、ここに説明するように、フォークリフトでコンテナを持ち上げている間、張力のみが、吊り上げ用ループ、特に、延長片２２の端部片２４および２６にも作用することが保証される。
【００２９】
フォークリフトの各フォークによる、ストラップ要素３０および３２により画定されるループの係合モードは、既知のそのタイプのコンテナの吊り上げ用ループの係合と比較すると、かなり労力が少なくて済むことになることが分かる。また、端部片２４および２６に対する吊り上げ用ループの形態が、端部片に作用する張力のみを提供し、よって、コンテナ１０の耐力の質は、既知のコンテナの耐力の質と比較すると高くなる。上記は、コンテナのコンテナ部へのストラップ要素の実際の取付モードと、コンテナがフォークリフトのフォークから吊り下げられた結果コンテナ部に作用する力とに、適用される。
【００３０】
コンテナ１０はまた、コンテナに所望の質などを提供するために、全体の形態、充填用開口部および排出用開口部の形態および配置、使用する材料のタイプに関して既知のＦＩＢＣと一般に関連する他のどんな特徴とも関連づけられ得る。
【００３１】
特に、端部片２４および２６に対するストラップ要素３０および３２の配置に関して、ストラップ要素の自由端３４が、ここに示すように相互に重なり合って配置されるのに対して、相互に隣接させて配置してもよいことを理解する必要がある。このように配置することによって、各ストラップ要素が効果的にねじれて、フォークリフトの各フォークによる係合用のストラップ要素の各対により画定されるループを、一直線上に配列することが容易になる。開口部３８を別の形態にするために、端部片２４および２６の端部の輪郭も変更し得る。
【００３２】
ここで図面の図５から図７を参照すると、本発明に係る流動性バルク材コンテナの第２の実施形態の全体が参照番号５０で示されている。コンテナ５０の全体の構成は、コンテナ１０の構成と実質的に同じであり、同様の部分は、前出と同じ参照番号で示す。コンテナ５０は、特に、ストラップ要素の単一の対を形成する２つのストラップ要素５２しか有しておらず、ストラップ要素の自由端５４は、ここに示すように、ここでも、それぞれ、延長片２２の１つの端部片２４と、隣接する端部片２６に固定されている。ストラップ要素の端部５４は、特に、取り付けられる端部片２４の対向する端同士の間の中間の作動する場所から等しい間隔をおいて配置されて、相互に直接対向する２つのループを形成し、これらのループは、コンテナを吊り上げて操作するためのフォークリフトの単一のフォークにより係合され得ることが好ましい。さらに、ストラップ要素を引き離し、端部片２４と、取り付けられた端部片２６とを引き離すことによって、開口部５４が画定され、該開口部５４は、バルク材をコンテナ５０内へ充填し、またコンテナ５０からバルク材を排出するために設け得る。コンテナ５０の吊り上げ用ループを形成するストラップ要素５２の全体構成は、コンテナ５０の端部片２２への取り付けに関連して、前出のものと同様なので、コンテナの使用についての同等の利点、すなわち、フォークリフトのフォークによる吊り上げ用ループの係合およびストラップ要素により提供される耐力の質と関連した同等の利点と関連付けられることが、理解されるだろう。図面の図７に示すように、２つのストラップ要素５２は、ここでも、例えば、結束要素５６により、結束され得ると都合がよく、よって、ストラップ要素により画定されたループを、フォークリフトのフォークにより容易に係合し得る一直線上に配列した形態に保持しながら、バッグ５０を閉じた状態に保持する目的にかなう。
【００３３】
繰り返すが、コンテナ５０の正確な形態は、全体の構造、およびバッグのコンテナ部などを形成するために使用する材料に関連して、かなり変更することができる。
【００３４】
本発明は、ここに説明し、またここに定義し説明したように本発明の本質的特徴を組み込んだバッグ１０および５０のすべての変形に及ぶ。
【図面の簡単な説明】
【００３５】
【図１】本発明に係る流動性バルク材コンテナの第１の実施形態の立体図である。
【図２】図１のコンテナの平面図である。
【図３】図１のコンテナの正面図である。
【図４】図１のコンテナの側面図である。
【図５】本発明に係る流動性バルク材コンテナの第２の実施形態の平面図である。
【図６】図５のコンテナの正面図である。
【図７】図５のコンテナの側面図である。
【図１】
2008501584.tif 000003
【図２】
2008501584.tif 000004
【図３】
2008501584.tif 000005
【図４】
2008501584.tif 000006
【図５】
2008501584.tif 000007
【図６】
2008501584.tif 000008
【図７】
2008501584.tif 000009
【手続補正書】
【提出日】平成19年5月28日(2007.5.28)
【手続補正１】
【補正対象書類名】特許請求の範囲
【補正対象項目名】請求項１
【補正方法】変更
【補正の内容】
【請求項１】
流動性バルク材コンテナであって、
可撓性のあるシート材料からなり、充填されて機能する形態で、底壁と、実質的に平行に間隔をおいて配置された側壁の２つの対と、上壁とを画定するコンテナ部であって、該上壁は、材料の延長片により画定され、該延長片は、前記各側壁の操作用上端部を越えて延びる側壁延長部により形成されており、前記材料の延長片は、前記側壁の２つの対のうちの一方の対の前記各側壁延長部の端部片を、それらの間に前記側壁の他方の対の前記各側壁延長部の端部片を折り曲げながら、ともに変位させることにより前記上壁を形成するように折り曲げられ、それにより、前記延長片は、前記側壁延長部の端部片がともに変位される前記コンテナ部の側壁の対同士の間の中間において前記コンテナ部の側壁の対と平行に、前記上壁からすべての前記端部片を突出させて、前記上壁を形成する、コンテナ部と、
ストラップ要素の少なくとも１つの対であって、前記延長片を形成する前記側壁延長部の端部片に取り付けられ、その構成は、ともに変位される前記側壁延長部の各１つの端部片と、前記他方の側壁延長部の隣接した各端部片部分とが、ストラップ要素の端部により相互に取り付けられ、それにより、前記対の前記２つのストラップ要素は、対向した吊り上げ用ループを形成するような構成であり、該ループは、前記端部片から延び、フォークリフトのフォークによる同時係合を可能にする、前記ストラップ要素の少なくとも１つの対と、
を含む、コンテナ。
【国際調査報告】
2008501584.tif 000010
2008501584.tif 000011
2008501584.tif 000012
2008501584.tif 000013